(57)【要約】【課題】  遊技装置が発生する熱を効率よく放熱することができる遊技機のキャビネットボックスの提供。【解決手段】  鉄系金属材料の板金部材で形成されて前面開口を有して略矩形箱状に形成されたキャビネットボックス１と、キャビネットボックス１の前面開口を覆って取り付けられる前面扉２と、キャビネットボックス１内および前面扉２に配設される遊技装置４とから構成される遊技機ＳＭにおいて、キャビネットボックス１内に配設される遊技装置４を固定するための雌ネジ部材７３がキャビネットボックス１内に突出して固設して構成する。【選択図】図１
2005111177.tif 000002
【特許請求の範囲】
【請求項１】
鉄系金属材料の板金部材で形成されて前面開口を有して略矩形箱状に形成されたキャビネットボックスと、前記キャビネットボックスの前記前面開口を覆って取り付けられる前面扉と、前記キャビネットボックス内および前記前面扉に配設される遊技装置とから構成される遊技機において、
キャビネットボックス内に配設される遊技装置を固定するための雌ネジ部材がキャビネットボックス内に突出して固設されていることを特徴とするキャビネットボックス。
【発明の詳細な説明】
【技術分野】
【０００１】
本発明は、遊技機のキャビネットボックスに関し、さらに詳細に言えば、金属製キャビネットボックスの底面部の構成に関する。
【背景技術】
【０００２】
キャビネットボックスを有する遊技機として、スロットマシン、ポーカー等のメダル遊技機がある。例えば、スロットマシンにおいては、前面側に開口部を有して略矩形箱状に形成されたキャビネットボックスと、このキャビネットボックスの前面開口を覆って開閉自在に取り付けられた前面扉とからなる筐体内に、電源ボックス、リール装置、制御基板、メダル払出装置等の各遊技装置、液晶あるいはＬＥＤ等で構成される演出表示装置が配設されて構成される。
【０００３】
また、スロットマシンのキャビネットボックスは、従来から厚さ９〜１５ｍｍ程度のパーチクルボードや積層合板等の木材を主要構成材料として用い、これを所定形状に組み立てて形成される。具体的には、定尺板材を所定の形状寸法に切断して所要の孔溝部をルータ加工した後、遊技装置や補強部材等を取り付けるために各部に雌ネジが形成された金属ブッシュを埋め込み、ダボや接着剤を用いて矩形箱状に組み立てたうえで、さらに通気用のメッシュや金属製の補強部材等を接合して形成する。このように構成されるスロットマシンは遊技施設内で、一般に木製である筐体設置枠に嵌合させた後、筐体設置枠上方からキャビネットボックスの天板面に向けて釘打ちするとともに、キャビネットボックスの底板面から筐体設置枠に向けて釘打ちすることによって固設される。
【発明の開示】
【発明が解決しようとする課題】
【０００４】
スロットマシンは、以上のように遊技施設内で固設されるとともに、前面扉を閉鎖状態にして遊技に供される。このため、遊技中の筐体内部は、電源ボックス、リール装置、制御基板等の遊技装置から発せられる熱が蓄積する傾向にあり、キャビネットボックスの背面には、この蓄積熱を外部に放出させるための排気孔が穿設されている。しかしながら依然として、この熱に起因して遊技装置の耐用期間が短くなる、あるいは誤作動を起こすという問題を有している。
【０００５】
本発明は上記のような問題に鑑みて成されたものであり、遊技中に発生する熱を効果的に放熱することを可能とするキャビネットボックスを提供することを目的とする。
【課題を解決するための手段】
【０００６】
上記課題を解決するために、本発明に係るキャビネットボックスは、鉄系金属材料の板金部材で形成されて前面開口を有して略矩形箱状に形成されたキャビネットボックスと、キャビネットボックスの前面開口を覆って取り付けられる前面扉と、キャビネットボックス内および前面扉に配設される遊技装置とから構成される遊技機において、キャビネットボックス内に配設される遊技装置を固定するための雌ネジ部材がキャビネットボックス内に突出して固設する構成としている。
【発明の効果】
【０００７】
本発明によれば、キャビネットボックスの形成に薄肉の板金部材（実施例において、０．７ｍｍ）を用いて、従来の木工キャビネットと同様にして筐体設置枠に嵌合する外周サイズで形成されるとともに、従来と同様の遊技装置配設位置で固定するために雌ネジ部材をキャビネット内に突出して構成されている。このため、従来は当接していた遊技装置とキャビネットボックス内周との間に空間（実施例において、１０ｍｍ程度）が形成されて、遊技装置から発せられる熱が筐体背面に形成された排気孔に熱を効果的に放出できる構成となっている。また、キャビネットボックスの基本構造を木材より熱伝導率の高い鉄系の板金部材とすることによって、筐体内部に充満する熱を効果的に放熱することができる。
【発明を実施するための最良の形態】
【０００８】
以下、本発明の好ましい実施形態について図面を参照して説明する。本発明に係るキャビネットボックスを有した遊技機の一例として挙げるスロットマシンの全体的な構成について、図５，図６を参照してまず説明する。このスロットマシンＳＭは、前面が開口した略矩形箱状のキャビネットボックス１と、ヒンジ金具５１を介してキャビネットボックス１に開閉可能に取り付けられる前面扉２とから構成されており、スロットマシンＳＭの遊技装置３がキャビネットボックス１内および前面扉２に配設されて全体をなす。
【０００９】
略矩形箱状のキャビネットボックス１内に配設される遊技装置３としては、外部から電力供給を受けて内部装置に必要な電力を供給する電源ボックス３０、図柄が描かれた３つのリール３１ａ，３１ｂ，３１ｃを回転・停止させるリール装置３１、遊技者の操作に応じたリール装置３１の作動制御やその他スロットマシンＳＭの遊技制御を行うための主制御基板３２、主制御基板３２からの指令に基づいてメダルの払い出しを行うメダル払出装置３３、遊技機の出玉データ等の遊技情報を管理するために遊技施設内に設置されたホールコンピュータ（図示せず）と主制御基板３２との間を接続するインターフェイスとしての外部集中端子基板３４等があり、それぞれ図６に示すように配設される。
【００１０】
なお、メダル払出装置３３はキャビネットボックス１の底面１５上に配設される。配設に際して、メダル払出装置３３の下端部を折曲形成して左右方向に水平突出するフランジ脚部が設けられるとともに、この左右のフランジ脚部を外側からガイドして上面を挟みこむホッパーレール７７，７７が底面１５上に固設される。メダル払出装置３３は、このホッパーレール７７，７７のガイドにより前後方向に出入摺動するようにして取り付けられる。
【００１１】
一方前面扉２は、ドアフレーム状に成型されたフロントマスク２０に、リール外周面に描かれた図柄を所定範囲に限って視認可能に透過表示させる表示窓２１、表示窓２１の下側に左右に並んで配設された複数のスイッチやレバー等からなる操作部４、表示窓２１の上方に配設された表示装置２２、遊技メダルを払い出すメダル払出口２３の下側に位置してメダル払出口２３から排出される遊技メダルを受容し貯留するメダル受皿２２等が取り付けられて構成されている。
【００１２】
操作部４には、遊技メダルを投入するメダル投入口４１、１回の遊技に消費するメダル枚数を決定するベットボタン４２、リールの回転起動操作を行うスタートレバー４３、３つのリール３１ａ，３１ｂ，３１ｃに対応して設けられリールの回転停止をリールごとに操作可能なストップスイッチ４４ａ，４４ｂ，４４ｃ、獲得した遊技メダルの払出操作を行う精算スイッチ４５、メダル投入口４１から投入した遊技メダルを返却させるときに操作するメダル返却スイッチ４６等が設けられている。
【００１３】
また、図６に示すように、前面扉２の背面側には、効果音を発するためのスピーカ３６、メダル投入口４１から投入された遊技メダルを受容する受付状態とメダル払出口２３から返却させる返却状態とに切り替えたり、投入された遊技メダルの真贋を判定して正規メダル以外の遊技メダルを返却させたりする機能を有するメダルセレクタ３７、メダルセレクタ３７からの遊技メダルを貯留または返却させる経路部材等が設けられるとともに、遊技状態を演出する多数のランプやＬＥＤ、これら表示機の作動を制御する中央表示基板３８および上部表示基板３９等が取り付けられている。
【００１４】
キャビネットボックス１と前面扉２とは、正面視における互いの左側縁の上下に設けられたヒンジ金具５１，５１で横開き開閉可能に連結されるとともに、両者に配設された遊技構成装置や基板等がワイヤーハーネス（図示せず）で電気的に接続されて作動可能に構成される。また、ヒンジ金具５１，５１を介してキャビネットボックス１に連結された前面扉２を開放状態にした際には、キャビネットボックス１全体が撓み変形して前面扉２の反ヒンジ側が垂れ下がる傾向があるため、前面扉２裏側にガイドローラ５３を設け、キャビネットボックス１内にローラ受け５４を設けて、前面扉２を閉鎖したときにガイドローラ５３とローラ受け５４とを当接させて、前面扉２が水平支持されるように構成されている。さらに、前面扉２は、正面視における右側縁に取り付けられた施錠装置５２を利用してキャビネットボックス１の前面開口部を覆うように閉鎖施錠され、この閉鎖状態でスロットマシンＳＭが遊技に供される。
【００１５】
以上のように構成されるスロットマシンＳＭにおいて、図１に外観斜視図を示した本実施例のキャビネットボックス１は、板厚０．５〜１．０ｍｍ程度（例えば、０．７ｍｍ）の冷間圧延鋼板、鍍金鋼板、ステンレス鋼板等を主要構成材料として用い、これをシャーリング、パンチング、ベンディング等の公知の加工手段によりパネル部材１０に成型した後、各板金部材をスポット溶接等の接合手段により接合して組み立てている。例示するキャビネットボックス１では、天板面１１、背面１２、左右側面１３，１４、および下底面１５ａを形成するメインパネル１０ａ、上底面１５ｂを形成する上底面パネル１０ｂ、キャビネットの強度を向上させるための補強リブ１０ｃ等の各パネル部材をスポット溶接により接合して構成している。なお、開口部正面視において左側の側面を左側面１３、右側の側面を右側面１４としてこれ以降説明する。
【００１６】
図１および図２に示すように、キャビネットボックス１の天板面１１、背面１２、左右側面１３，１４、下底面１５ａは、所定形状に形成されたメインパネル１０ａがベンディングされて突き合わせ部が溶接により接合されることよって前面が開口した略矩形箱の各面が形成される。即ち、本実施例に係るキャビネットボックス１の基本的構造はメインパネル１０ａの一枚で成型されており、一面につき一枚のパネルを用いる等、複数枚のパネルで構成するよりも部品点数および組立工数を削減することができる。また、このキャビネットボックス１の外周サイズは、従来の木工キャビネットと同様にして、筐体設置枠に嵌合するものであるとする。
【００１７】
天板面１１および背面１２には、キャビネット内に熱を放熱して主制御基板３２等の誤作動を防ぐための通気孔が予め穿設される。なお、通気孔は、例示する長孔や丸孔の他、所定形状の孔を多数設けてパンチングメタル状ないし格子状に形成してもよい。また、ルーバ加工やランス加工を施して通気させることも可能である。
【００１８】
左右側面１３，１４には、キャビネットボックス１の剛性を高めるために、エンボス加工（例えば、菱形状）が多数施されている。また、左右側面１３，１４の中央部には予め所要形状の貫通孔が穿設されており、鋼板材が絞り加工されて断面Ω字状に形成された取っ手部材７１，７１がキャビネットボックス１の内側からこの孔に覆設される。取っ手部材７１，７１は、フランジ部が左右側面１３，１４内側に当接され、絞り部がキャビネットボックス１内に水平に突出するように配設されており、フランジ部と側面内側との当接部においてスポット溶接によりメインパネル１０ａと接合される。
【００１９】
また、取っ手部材７１，７１の水平に突出した絞り部の上には、リール装置３１を載置するための棚板７２が取り付けられる。なお、棚板７２の取り付けは、溶接で棚板７２をキャビネットボックス１に固定する手段のほか、例えば、左右側面１３，１４の所定位置にスタッドナットを溶接しておき、このスタッドを用いて棚板７２を締結する手段や、左右側面１３，１４に予め所定ピッチでネジを設けた補助部材を溶接しておき、この補助部材に棚板７２をネジ締結する手段、左右側面１３，１４の所定位置に係止フックを溶接しておき、この係止フックに棚板７２を係止させる手段など、どの様な手段で取り付けてもよい。但し、溶接以外の手段を用いる場合には、棚板７２がキャビネットボックス１に確実に電気的に接続されるよう取り付ける点に留意し、例えば、棚板７２をユニクロメッキ仕上げにするとともにキャビネットボックス１側のネジ部を無塗装とし、ネジを介して電気的に接続させる手段や、キャビネットボックス１と棚板７２とにそれぞれスタッドナットを溶接しておき、これ等のスタッドナット間をアース線で電気的に接続させる等の手段を採ることが好ましい。
【００２０】
また、天板面１１の左右には、この天板面１１の上下を貫通してスリット状の貫通孔部１１ａ，１１ａが形成されており、左右側面１３，１４において貫通孔部直下に図示しないボルトとナットを用いてキャビネット固定装置７４，７４が取り付けられる。キャビネット固定装置７４は、鋸刃状に形成された鋼板材を貫通孔部１１ａからばねの弾性力を利用することにより出入自在に操作できるよう構成されて、突出状態においてこの鋼板材を一般に木製の筐体設置枠（図示せず）に押圧して係合固定させる。このような固定方法によって、設置枠上方からの釘打ちという従来の固定手段を用いることが困難な金属製キャビネットにおいても、天板面１１と設置枠との固定が可能となる。
【００２１】
また、左側面１３には、主制御基板３２と中央制御基板３８および上部制御基板３９との間、あるいは主制御基板３２と電源ボックス３０との間等を連結するワイヤーハーネス（図示せず）を係止するための係止具が取り付けられる。このワイヤーハーネス係止具７５は、指力により変形可能な金属部材がＣ字状に形成されて、左側面１３内側にスポット溶接により接合される。なお、係止具として、従来適用されていた樹脂材で形成される結束バンドを所要の固定手段で左側面１３に固定してもよい。
【００２２】
底面１５は、メインパネル１０ａを折曲して形成される下底面１５ａに上底面パネル１０ｂを接合させて構成される。上底面パネル１０ｂは、図４，図５に示すように、略矩形状に成型された鋼板材の辺をＶ字状あるいはＺ字状に折曲して形成される。この折曲によりフランジ部Ｆが形成される。また、電源ボックス３０およびホッパーレール７７を締結固定するための雌ネジ部材７３としてスタッドナットが裏側に溶接されて、表側からこのスタッドナットの呼びに合わせて貫通孔が穿設される。なお、パネル辺部の折曲は、曲げ高さをスタッドナットと同長に行われる。このように形成された上底面パネル１０ｂが下底面１５ａのほぼ全体を覆うように配設されて、フランジ部Ｆが下底面１５ａとスポット溶接により接合し、平状の上底面１５ｂが形成される。同時に上底面パネル１０ｂの裏面に溶接されたスタッドナットの他端部は、ナットと曲げ高さとが同長のため下底面１５ａに当接されて、底面１５は、上底面１５ｂと下底面１５ａとの間にスタッドナットが介設された中空二重構造となる。
【００２３】
さらに、底面１５の中央部においては、中央部を穴抜きされた上底面パネル１０ｂが下方へ凹設され、上底面１５ｂと下底面１５ａとが当接されて両者がスポット溶接により接合される。また、この凹部には小孔が穿設されており、この孔を介してキャビネットボックス１内から、一般に木製の筐体設置枠（図示せず）に対して釘打ちすることによってキャビネットボックス１を筐体設置枠に固定することが可能となっている。なお、底面１５右側においては、メダル貯留部の貯留許容量を超えた余剰メダルが設置枠台内部に配設されたメダルコンベヤ（図示せず）に回収されるように、余剰メダルを通過させて設置枠台内部へ落下させるための貫通孔が穿設されている。貫通孔は、図４に示すように、所定位置において上底面パネル１０ｂおよび下底面１５ａを形成するメインパネル１０ａが穴抜きされた後、上底面１５ｂと下底面１５ａとの間の中空部にメダルが落入しないように、上底面１５ｂを下方に絞り加工するとともに下底面１５ａを上方に絞り加工を行い、両者の絞り部を当接させる。また、メダルコンベヤが設置されていない遊技施設においては、この貫通孔の上に補助貯留ボックス７６が覆設されて、ボックス内に余剰メダルを回収する。なお、補助貯留ボックス７６は、背面１２に予め穿設された貫通孔と補助貯留ボックス７６の背面に穿設された貫通孔の両孔にボルトを貫入させて固定される。
【００２４】
また、キャビネットボックス１前面の開口縁部において、断面略Ｕ字状に形成された補強リブ１０ｃが辺縁部を繋ぐように周設されており、メインパネル１０ａとスポット溶接により接合されている。
【００２５】
この補強リブ１０ｃ上には、キャビネットボックス１の開口縁部に配設される遊技装置３や組立部材を取り付けるための雌ネジ部材７３としてスタッドナットが溶接されている。左側面１３に配設される補強リブ１０ｃ上には、ヒンジ金具５１，５１を締着固定するためのスタッドナットが溶接される。右側面１４に配設される補強リブ１０ｃ上には、施錠装置５２およびレール受け５４を締着固定するためのスタッドナットが溶接される。下底面１５ａに配設される補強リブ１０ｃには、メダル払出装置３３の出入摺動を平滑にさせるとともにホッパーレール７７を固定するためのブラケット（図示せず）を締着固定するためのスタッドナットが溶接される。なお、天板面１１、右側面１４、下底面１５ａに配設される補強リブ１０ｃのＵ字状凹部は直線的な平面に形成されているが、左側面１３においては、図１に示すように、ヒンジ金具５１，５１の締着固定に用いるスタッドナット周辺については、取り付けられるヒンジ金具５１，５１の奥行き分だけＵ字状凹部が背面１２方向に拡幅するように形成されている。
【００２６】
このようにして補強リブ１０ｃを設けることにより、前面扉２から受ける重量負荷を補強リブ１０ｃが受け止めてキャビネットボックス１の基本構造を成すメインパネル１０ａの撓み変形を大幅に軽減することができるとともに、水平支持のために配設されるガイドローラ５３およびローラ受け５４を大掛かりなものとする必要がなくなる。
【００２７】
また、電源ボックス３０、および外部集中端子基板３４の固定は、平板状に形成されて裏側に雌ネジ部材７３としてスタッドナットが溶接されるとともにナットの呼びに合わせて貫通孔が穿設されたブラケットパネル１０ｄ，１０ｅを介して行われる。電源ボックス３０を固定するためのブラケットパネル１０ｄは、左側面１３下部を覆うようにして配設されて、３つのフランジ部が背面１２、左側面１３、左側面１３に配設される補強リブ１０ｃにそれぞれスポット溶接により接合される。外部集中端子基板３４を固定するブラケットパネル１０ｅは、フランジが右側面１４にスポット溶接により接合される。このように配設されるブラケットパネル１０ｄ，１０ｅの平状面に、電源ボックス３０および外部集中端子基板３４がそれぞれ当接されて締結固定される。ブラケットを介してメインパネル１０ａに直接固定しないことにより、板厚が薄くなった金属製キャビネットでも従来の木工キャビネットと同様の固定位置で固定できるとともに、遊技中にキャビネットボックス１と前面扉２の間隙からピアノ線を侵入させる等の遊技不正行為に対して未然に防ぐことができる。
【００２８】
また、図１，図２に示すように天板面１１、背面１２および左右側面１３，１４において、リール装置３１、主制御基板３２等の遊技装置３を締結固定するための雌ネジ部材７３が溶接される。雌ネジ部材７３としては、本実施例に適用したように、スタッドナットをキャビネット１内に突出するように溶接してもよいし（図２−ａ）、溶接六角ナットを各面１１〜１４の所定箇所に溶接し、溶接されたナットの呼びに合わせた貫通孔を穿設して構成してもよい（図２−ｂ）。また、雌ネジ部材７３の固定手段は溶接に限らず、バーリング加工によって雌ネジ部材７３を一体成型する方法（図２−ｃ）や、雌ネジ部材７３としてブラインドナットを適用してかしめて固定してもよい（図２−ｄ）。さらに、メインパネル１０ａにバーリング加工を施して、バーリングフランジの内面に直接ネジ切りを行って雌ネジとして一体成型してもよい（図２−ｅ）。
【００２９】
以上のように構成されるスロットマシンにおいて、遊技装置３をキャビネットボックス１に配設すると、従来９〜１５ｍｍの木材が用いられていた木工キャビネットよりも、薄肉であるとともに、外周サイズを従来と同一としたため、スタッドナットの高さの分だけキャビネットボックス１の内周面に大きな空間が形成される。このため、キャビネットボックス１の背面１２に穿設された通気貫通孔からの熱放出を効率よく行うことができる。また、キャビネットボックスの主要構成材料を木材よりも熱伝導率の高い鉄系金属としたため、放熱を効果的に行うことができる。なお、従来よりも薄肉であることから撓み変形が生じる等、剛性が低くなる懸念に対して、上記説明の通り、パネル部材１０ｂ，１０ｃを用いて底板面および開口縁部を過度に重量を増すことなく補強した構造となっているため、安定して遊技装置３を配設することができる。
【００３０】
なお、本実施例において、本発明に係るキャビネットボックスを適用した遊技機としてスロットマシンを例示したが、本発明はこれに限定されるものではなく、ポーカー、ブラックジャック等、他の遊技機のキャビネットボックスであっても同様に適用可能であり、同様の効果を得ることができる。
【図面の簡単な説明】
【００３１】
【図１】本発明に係るキャビネットボックスの外観斜視図である。
【図２】本発明に係るキャビネットボックスのメインパネルとメインパネルに配設される雌ネジ部材の断面図であり、雌ネジ部材として、ａは溶接スタッドナット、ｂは溶接六角ナット、ｃはバーリング加工でメインパネルに一体成型したもの、ｄはブラインドナット、ｅはメインパネルをネジ切りしたものをそれぞれ示している。
【図３】本発明に係るキャビネットボックスを適用した遊技機の一例として示すスロットマシンの外観斜視図である。
【図４】上記スロットマシンのフロントマスクを開放して内部構造を示す正面図である。
【符号の説明】
【００３２】
ＳＭ  スロットマシン
１  キャビネットボックス
２  前面扉
３  遊技装置
４  操作部
１０  パネル部材
１０ａ  メインパネル
１１  天板面
１２  背面
１３  左側面
１４  右側面
１５  底面
７３  雌ネジ部材
【図１】
2005111177.tif 000003
【図２】
2005111177.tif 000004
【図３】
2005111177.tif 000005
【図４】
2005111177.tif 000006